(57)【要約】【課題】装着される電子機器の本来の使用感や操作性を損ねることなく各種のアクセサリ機器を容易に取り付け得るアクセサリ機器取付装置及びこれに取り付け可能な支持台ユニットを提供する。【解決手段】電子機器３の表示用パネル３１の表示面以外の外面を覆う筐体からなり、少なくとも１つのアクセサリ機器（１，４）を着脱し得る結合部２１と、電子機器の所定の機能部位を露呈させる開口部（２２，２３，２４，２５）とを有し、結合部は、複数の爪部２１ｂと、これに対応する複数の凹部２１ｄとを有するバヨネット構造からなる。【選択図】図４
2015148720.tif 000002
【特許請求の範囲】
【請求項１】
電子機器の表示用パネルの表示面以外の外面を覆う筐体からなり、
少なくとも１つのアクセサリ機器を着脱し得る結合部と、
上記電子機器の所定の機能部位を露呈させる開口部と、
を有し、
上記結合部は、複数の爪部と、これに対応する複数の凹部とを有するバヨネット構造からなることを特徴とするアクセサリ機器取付装置。
【請求項２】
上記開口部は、上記電子機器の表示用パネルの表示面，カメラ部，発光部，スピーカ部，マイク部，外部インタフェース接続部，各種操作部材が配設されている部位を露呈させることを特徴とする請求項１に記載のアクセサリ機器取付装置。
【請求項３】
上記アクセサリ機器は、撮像素子付交換用レンズ，撮像素子付中間筒，支持台ユニット，補助光発光ユニットのうちのいずれか一つであることを特徴とする請求項１に記載のアクセサリ機器取付装置。
【請求項４】
上記結合部は、複数形成されていることを特徴とする請求項１に記載のアクセサリ機器取付装置。
【請求項５】
上記結合部は、これに取り付けられる上記アクセサリ機器の取り付け方向を規定し得るように形成されており、
上記複数の結合部のうちの少なくとも１つに取り付けられる上記アクセサリ機器の取り付け方向は、他の結合部に取り付けられる上記アクセサリ機器の取り付け方向とは異なる方向となるように設定されていることを特徴とする請求項４に記載のアクセサリ機器取付装置。
【請求項６】
上記結合部に着脱され得るアクセサリ機器は、
少なくとも撮像素子と電源電池とを内部に有し、交換レンズ鏡筒を着脱可能とするマウントリングを前面に備えると共に、少なくともレリーズ操作部材と電源操作部とを外面上に具備してなる撮像素子付中間筒であることを特徴とする請求項１に記載のアクセサリ機器取付装置。
【請求項７】
電子機器の表示用パネルの表示面以外の外面を覆う筐体からなり、
少なくとも１つのアクセサリ機器を着脱し得る結合部と、
上記電子機器の所定の機能部位を露呈させる開口部と、
を有するアクセサリ機器取付装置に取り付け可能なアクセサリ機器であって、
３つの板状部と、これら３つの板状部のそれぞれを回動自在に連結する２つのヒンジ部と、両端の接続状態を固定保持するロック機構と、を有し、
上記ロック機構を解除したときには上記３つの板上部を折り畳み可能に形成され、
上記ロック機構によって両端を固定保持したときには多角形状の立体形態に変位させ得るように構成されていることを特徴とするアクセサリ機器取付装置に取り付け可能な支持台ユニット。
【請求項８】
上記ロック機構は、
上記３つの板状部のうちの１つの板状部の一端部に設けられＶ溝を有した凸状部と、
上記３つの板状部のうちの他の１つの板状部の一端部に形成され上記凸状部が嵌合する係合孔と、
上記Ｖ溝に係合する嵌合部を備えたロック板と、
を有してなり、
上記板状部を展開して、上記凸状部と上記係合孔とを嵌合させ上記嵌合部を上記Ｖ溝に係合させて連結固定すると、多角形状の立体形態が維持され、
上記ロック板を押圧すると、上記ロック機構のロック状態を解除し得ることを特徴とする請求項７に記載のアクセサリ機器取付装置に取り付け可能な支持台ユニット。
【請求項９】
撮像素子付交換レンズ若しくは撮像素子付中間筒を結合可能とする結合部を有することを特徴とする請求項７に記載のアクセサリ機器取付装置に取り付け可能な支持台ユニット。
【請求項１０】
上記結合部に着脱され得るアクセサリ機器は、
少なくとも撮像素子と電源電池とを内部に有し、交換レンズ鏡筒を着脱可能とするマウントリングを前面に備えると共に、少なくともレリーズ操作部材と電源操作部とを外面上に具備してなる撮像素子付中間筒であることを特徴とする請求項７に記載のアクセサリ機器取付装置に取り付け可能な支持台ユニット。
【発明の詳細な説明】
【技術分野】
【０００１】
この発明は、携帯型電子機器にアクセサリ機器を装着するためのアクセサリ機器取付装置と、このアクセサリ機器取付装置に取り付けて使用する支持台ユニットに関するものである。
【背景技術】
【０００２】
近年、例えばスマートフォンやタブレット型コンピュータ等の携帯型電子機器が広く普及している。これらの携帯型電子機器においては、例えば光学系レンズと撮像素子等を具備し静止画像や動画像を撮像する撮像機能を備えたカメラ部を内蔵して構成されているものがある。
【０００３】
この種の従来の携帯型電子機器は、使用者（ユーザ）が常に持ち歩き、野外や戸外等、外出先においても必要に応じて適宜使用されるのが一般である。したがって、この種の携帯型電子機器の使用者（ユーザ）は、例えば撮像機能に特化したカメラ等の撮像装置（以下、単にカメラ等と略記する）を外出時に持参していない場合にも、上記携帯型電子機器に内蔵されるカメラ部の撮像機能を用いて、いつでも気軽に静止画像や動画像等の撮像を行うようになっている。
【０００４】
しかしながら、この種の携帯型電子機器に内蔵されるカメラ部は、当該電子機器の付属機能であるがために、その撮像性能は、通常のカメラ等に対して劣るものであることは否めない。
【０００５】
そこで、この種の携帯型電子機器が本来具備する機能、例えば撮像機能や画像閲覧機能等を補助したり、これらの機能を代替する機能を備えた各種のアクセサリ機器についての提案が種々なされ、また実用化されている。
【０００６】
従来の携帯型電子機器に取り付けて使用するアクセサリ機器としては、例えば一般的なカメラ等に適用される高性能な撮像素子及び撮像レンズをユニット化した撮像素子付交換レンズユニットや、従来一般のレンズ交換式カメラ用に供給されている交換用レンズ鏡筒を装着可能に構成し高性能な撮像素子を備えた撮像素子付中間筒等の形態からなり、装着される携帯型電子機器の撮像機能を代替するアクセサリ機器のほか、携帯型電子機器を用いて画像を表示する等の使用時に、当該携帯型電子機器をテーブル等の平面上に載置するために、その表示画面を所望の角度で安定させて自立させる支持台等の画像閲覧機能を補助するアクセサリ機器や、撮像時の照明光を補助光として発光させる補助光発光ユニット，照明装置等の撮像を補助するためのアクセサリ機器等、各種様々なものが考えられている。
【０００７】
例えば特開２００３−００５２６６号公報等によって開示されている撮像装置は、机上設置による撮影に適した傾斜角度３０度以上に設定可能な支持台を備え、当該支持台は、適度のフリクション機構又はクリックストップ機構を備えている。これによって、撮像装置の設置姿勢を調整可能とした支持台角度調整機構を有するというものである。この撮像装置における支持台は、同撮像装置の表示装置部位に設けられる側面段差を利用して、その周囲部分に収納するように構成している。
【０００８】
また、特開２０１１−０９９９４９号公報，特開２００７−７８８２７号公報等によって開示されている撮像装置は、撮像素子と撮像レンズをユニット化した撮像素子付交換レンズユニットを、カメラ本体に対して着脱可能に構成したシステムにおいて、上記撮像素子付交換レンズユニットとカメラ本体との接続構造についての構成が開示されている。
【先行技術文献】
【特許文献】
【０００９】
【特許文献１】特開２００３−００５２６６号公報
【特許文献２】特開２０１１−０９９９４９号公報
【特許文献３】特開２００７−７８８２７号公報
【発明の概要】
【発明が解決しようとする課題】
【００１０】
ところが、上記特開２００３−００５２６６号公報等によって開示されている撮像装置は、支持台を一体に設けることによって、当該撮像装置の机上設置姿勢を所望の状態に確保しようというものである。したがって、撮像装置と支持台とは一体不離のものであり、その撮像装置専用のものであることから、通常一般の携帯型電子機器に装着するといった用途については考慮していない。
【００１１】
また、特開２０１１−０９９９４９号公報，特開２００７−７８８２７号公報等においては、撮像素子付交換レンズユニットについての開示はなされているが、
上記両公報等によって開示されている発明は、撮像素子付交換レンズユニットを、同ユニットが対応する専用のカメラ本体に装着して利用するというものであって、通常一般の汎用の携帯型電子機器に装着して利用するといった用途については想定していない。
【００１２】
一方、従来の携帯型電子機器、例えばスマートフォンやタブレット型コンピュータ等においては、各種のアクセサリ機器を容易にかつ確実に結合させる手段がなく、例えば両者の安定的な結合状態を確保しつつ、確実な着脱操作を行なうための手段が要望されている。
【００１３】
本発明は、上述した点に鑑みてなされたものであって、その目的とするところは、携帯型電子機器と連携して使用するアクセサリ機器を取り付けるためのアクセサリ機器取付装置において、これに装着される携帯型電子機器の本来の使用感や操作性を損ねることなく各種のアクセサリ機器を容易に取り付け得る構成を実現し、使い勝手の良好なアクセサリ機器取付装置を提供し、さらにこのアクセサリ機器取付装置に取り付けて使用するアクセサリ機器として有用性の高い支持台ユニットを提供することである。
【課題を解決するための手段】
【００１４】
上記目的を達成するために、本発明の一態様のアクセサリ機器取付装置は、電子機器の表示用パネルの表示面以外の外面を覆う筐体からなり、少なくとも１つのアクセサリ機器を着脱し得る結合部と、上記電子機器の所定の機能部位を露呈させる開口部とを有し、上記結合部は、複数の爪部と、これに対応する複数の凹部とを有するバヨネット構造からなる。
【００１５】
本発明の一態様のアクセサリ機器取付装置に取り付け可能な支持台ユニットは、電子機器の表示用パネルの表示面以外の外面を覆う筐体からなり、少なくとも１つのアクセサリ機器を着脱し得る結合部と、上記電子機器の所定の機能部位を露呈させる開口部とを有するアクセサリ機器取付装置に取り付け可能なアクセサリ機器であって、３つの板状部とこれら３つの板状部のそれぞれを回動自在に連結する２つのヒンジ部と両端の接続状態を固定保持するロック機構とを有し、上記ロック機構を解除したときには上記３つの板上部を折り畳み可能に形成され、上記ロック機構によって両端を固定保持したときには多角形状の立体形態に変位させ得るように構成されている。
【発明の効果】
【００１６】
本発明によれば、携帯型電子機器と連携して使用するアクセサリ機器を取り付けるためのアクセサリ機器取付装置において、これに装着される携帯型電子機器の本来の使用感や操作性を損ねることなく各種のアクセサリ機器を容易に取り付け得る構成を実現し、使い勝手の良好なアクセサリ機器取付装置を提供することができると共に、さらにこのアクセサリ機器取付装置に取り付けて使用するアクセサリ機器として有用性の高い支持台ユニットを提供することができる。
【図面の簡単な説明】
【００１７】
【図１】本発明の第１の実施形態のアクセサリ機器取付装置に着脱可能なアクセサリ機器である撮像素子付中間筒を示す外観斜視図
【図２】図１の撮像素子付中間筒の六面図
【図３】図１の撮像素子付中間筒に装着されるストラップ取付用吊金具の四面図
【図４】本発明の第１の実施形態のアクセサリ機器取付装置を示す外観斜視図
【図５】図４のアクセサリ機器取付装置の六面図
【図６】図４の［６］−［６］線に沿う断面を示す要部拡大断面図
【図７】図４のアクセサリ機器取付装置が装着される携帯型電子機器の一例を示す外観斜視図
【図８】図４のアクセサリ機器取付装置に着脱可能なアクセサリ機器である支持台ユニットを折り畳んだ状態を示す五面図
【図９】図８の符号［８Ａ］の［９］−［９］線に沿う縦断面図
【図１０】図８の符号［８Ａ］の［１０］−［１０］線に沿う縦断面図
【図１１】図８の支持台ユニットにおいて、連結板を展開した状態の三面図
【図１２】図８の支持台ユニットにおいて、連結板及び支持板を展開した状態の四面図
【図１３】図１２の符号［１２Ａ］の［１３］−［１３］線に沿う縦断面図
【図１４】図１２の符号［１２Ａ］の［１４］−［１４］線に沿う縦断面図
【図１５】図１２の符号［１２Ａ］の［１５］−［１５］線に沿う縦断面図
【図１６】図１２の符号［１２Ａ］の［１６］−［１６］線に沿う縦断面図
【図１７】図１２の符号［１２Ｂ］の［１７］−［１７］線に沿う横断面図
【図１８】図８の支持台ユニットを支持台として使用する際の使用形態に展開した状態を示す四面図
【図１９】図１８の符号［１８Ｂ］の［１９］−［１９］線に沿う縦断面図
【図２０】図１９の符号［２０］で示す部位の要部拡大断面図
【図２１】本発明の第１の実施形態のアクセサリ機器取付装置と、このアクセサリ機器取付装置に取り付け可能なアクセサリ機器である支持台ユニットの使用形態の一例を示す外観斜視図
【図２２】図２１の状態から支持台ユニットを変位させた状態の使用形態を示す外観斜視図
【図２３】本発明の第２の実施形態のアクセサリ機器取付装置の六面図
【図２４】図２３のアクセサリ機器取付装置に適用されるグリップ部を取り出して示す図
【図２５】図２４の符号［２４Ａ］の［２５］−［２５］線に沿う縦断面図
【図２６】図２４の符号［２４Ｂ］の［２６］−［２６］線に沿う横断面図
【図２７】本発明の第２の実施形態のアクセサリ機器取付装置と、このアクセサリ機器取付装置に取り付け可能なアクセサリ機器である支持台ユニットの使用形態の一例を示す外観斜視図
【図２８】図２７の状態から支持台ユニットを変位させた状態の使用形態を示す外観斜視図
【図２９】本発明の第３の実施形態のアクセサリ機器取付装置におけるグリップ部のフラット状態を示す六面図
【図３０】図２９のアクセサリ機器取付装置におけるグリップ部を回転させて支持台とした状態を示す六面図
【発明を実施するための形態】
【００１８】
以下、図示の実施の形態によって本発明を説明する。なお、以下の説明に用いる各図面においては、各構成要素を図面上で認識可能な程度の大きさとするため、各構成要素毎に縮尺を異ならせて示している場合がある。したがって、本発明は、これらの図面に記載された構成要素の数量，構成要素の形状，構成要素の大きさの比率及び各構成要素の相対的な位置関係は、図示の形態のみに限定されるものではない。
［第１の実施形態］
【００１９】
まず、本発明の第１の実施形態のアクセサリ機器取付装置及びこのアクセサリ機器取付装置に取り付け可能な支持台ユニットの説明をする前に、本実施形態のアクセサリ機器取付装置に着脱可能なアクセサリ機器の一例として撮像素子付中間筒の概略構成を、図１，図２，図３を用いて以下に説明する。
【００２０】
図１は、本発明の第１の実施形態のアクセサリ機器取付装置に着脱可能なアクセサリ機器である撮像素子付中間筒を示す外観斜視図である。図２は、図１の撮像素子付中間筒の六面図である。このうち符号［２Ａ］は正面図、符号［２Ｂ］は上面図、符号［２Ｃ］は底面図、符号［２Ｄ］は左側面図、符号［２Ｅ］は右側面図、符号［２Ｆ］は背面図、をそれぞれ示している。図３は、図１の撮像素子付中間筒に装着されるストラップ取付用吊金具の四面図である。このうち符号［３Ａ］は平面図、符号［３Ｂ］は取付面の平面図、符号［３Ｃ］は吊部側平面図、符号［３Ｄ］は側面図、をそれぞれ示している。
【００２１】
図１に示すように、当該撮像素子付中間筒１は、撮像素子１１及びこれを駆動する駆動回路等（不図示）を含む撮像ユニットを備え、前面には、従来一般のレンズ交換式カメラ用に供給されている交換用レンズ鏡筒（不図示）を装着可能に構成されている。
【００２２】
撮像素子付中間筒１は、全体として略円筒形状からなる本体部１０と、この本体部１０の内部構成部材（撮像ユニット等）と、同本体部１０の外面上に設けられる構成部材（各種操作部材等）によって構成されている。
【００２３】
本体部１０は、略円筒形状における軸方向の一方に開口１０ａを有し、他方を閉塞した形態に形成されている。本体部１０の内部には、上述したように撮像素子１１及びこれを駆動する駆動回路等（不図示）を含む撮像ユニットや、当該撮像素子付中間筒１の全体を統括的に制御する制御回路等（不図示）が配設されている。
【００２４】
なお、上記撮像素子１１としては、例えばＣＣＤ（Ｃharge Ｃoupled Ｄevice；電荷結合素子）イメージセンサーやＣＭＯＳ（Ｃomplementary Ｍetal Ｏxide Ｓemiconductor；相補性金属酸化膜半導体）型イメージセンサ等の光電変換素子等、一般的な形態のものが適用される。
【００２５】
本体部１０の開口１０ａには、当該撮像素子付中間筒１に装着される交換用レンズ鏡筒（不図示）との機械的な接続を確保するマウントリング１２が配設されている。このマウントリング１２の内周縁部近傍には、当該撮像素子付中間筒１に装着される交換用レンズ鏡筒（不図示）と本撮像素子付中間筒１の内部電気回路との間の電気的な接続を確保するための複数の電気接点１３が配設されている。そして、当該撮像素子付中間筒１の内部には撮像素子１１が配設されている。この撮像素子１１は、その受光面を上記開口１０ａに向けて配設されている。
【００２６】
本体部１０の外面上には、各種の操作部材が設けられている。例えば、本体部１０の略円筒形状の外面上において、上面側（図２の符号［２Ｂ］参照）には撮像操作を行う際のレリーズスイッチに連動するレリーズ操作部材１５が配設されている。また、本体部１０の右側面側（図２の符号［２Ｅ］参照）には、当該撮像素子付中間筒１に装着された交換用レンズ鏡筒（不図示）を取り外す際のロック機構解除操作部材１４が配設されている。このロック機構解除操作部材１４は、上記マウントリング１２のマウント面１ａに対して突没自在に設けられるロックピン１４ａに連動する操作部材である。
【００２７】
ここで、ロックピン１４ａは、当該撮像素子付中間筒１の前面に装着される交換レンズ鏡筒（不図示）の回転規制を行なう部材である。このロックピン１４ａは、丸棒状部材からなり、通常の場合には不図示の付勢部材によってマウント面１ａの面上から前方に向けて突設されている。
【００２８】
上記ロック機構解除操作部材１４は、当該撮像素子付中間筒１の内部において、上記ロックピン１４ａと連設されている。したがって、例えば、上記ロック機構解除操作部材１４を図１に示す矢印Ｓ方向へのスライド操作を行うと、上記ロックピン１４ａは、付勢部材の付勢力に抗してマウント面１ａから突出している部分が内部へ向けて引き入れられて没入させ得るように構成されている。
【００２９】
一方、当該撮像素子付中間筒１に装着させ得るように構成された交換レンズ鏡筒（不図示）側には、当該交換レンズ鏡筒を上記撮像素子付中間筒１に装着したとき、上記ロックピン１４ａが嵌入するロック凹孔が形成されている。このような構成は、従来一般のレンズ交換式カメラに対する対応交換レンズ鏡筒の装着時ロック機構と略同様である。したがって、上記ロック機構解除操作部材１４は、上記撮像素子付中間筒１の前面に装着された状態の交換レンズ鏡筒のロック状態を解除する装置として機能する。
【００３０】
本体部１０の左側面側（図２の符号［２Ｄ］参照）には電源スイッチに連動する電源操作部材１７と、当該撮像素子付中間筒１を、本実施形態のアクセサリ機器取付装置２（詳細後述；図４〜図６参照）や、このアクセサリ機器取付装置２に取り付けられる支持台ユニット（詳細後述；図８〜図１９参照）等に装着状態において、その装着状態を解除するための回転ロック解除部材１８とが配設されている。
【００３１】
なお、回転ロック解除部材１８は、例えば押しボタン状の操作部材である。この回転ロック解除部材１８は、当該撮像素子付中間筒１の装着側周縁部に径方向に突没自在に形成されるストッパ嵌合凸部１８ａに連動している。ストッパ嵌合凸部１８ａは、通常の場合、不図示の付勢部材にて当該撮像素子付中間筒１の装着側周縁部から径方向外方に向けて突出するように配設されている。そして、上記回転ロック解除部材１８を押圧すると、ストッパ嵌合凸部１８ａは、付勢部材の付勢力に抗して当該撮像素子付中間筒１の装着側周縁部の平面から径方向内方に向けて没入するように構成されている。これに対応させて、本実施形態のアクセサリ機器取付装置２の側には、当該撮像素子付中間筒１を装着した時に上記ストッパ嵌合凸部１８ａが嵌合して、装着状態の撮像素子付中間筒１の回転を規制し、これを安定保持するためのストッパ凹部２１ａが設けられている（詳細は後述する；図４参照）。
【００３２】
また、本体部１０の両側面（符号［２Ｄ］，［２Ｅ］参照）のそれぞれには、ストラップ取付用吊金具１００を着脱自在に配設する吊金具装着部１６が形成されている。さらに、本体部１０の底面側（符号［２Ｃ］参照）には、三脚ネジ穴２０が形成されている。
【００３３】
ここで、ストラップ取付用吊金具１００は、ストラップ（吊り紐）等を取り付けるための吊り金具であって、図３に示すように、本体部１０の吊金具装着部１６に嵌合し、所定のロック機構を備えた吊金具本体１０２と、ストラップ（吊り紐）等を通すためのループ状金具１０１等によって構成されている。当該ストラップ取付用吊金具１００のロック機構は、例えば吊金具本体１０２の軸方向に対して直交する方向に付勢部材によって付勢される係合爪部１０２ａを、上記吊金具本体１０２の先端部に有して形成されている。係合爪部１０２ａの先端側は、その断面が先端に向けて斜度を有するテーパー状に形成されている。これに対して、上記本体部１０側の吊金具装着部１６には、内部に周溝（不図示）が形成されている。また、吊金具装着部１６の穴径は、吊金具本体１０２の係合爪部１０２ａの外径よりも若干小径に形成されている。したがって、吊金具本体１０２を上記本体部１０側の吊金具装着部１６に挿入すると、係合爪部１０２ａは、先端テーパー部が吊金具装着部１６の内壁面に摺動しつつ付勢力に抗して縮径する。そして、係合爪部１０２ａが吊金具装着部１６の内部周溝に到達すると、係合爪部１０２ａは自身の付勢力によって縮径状態から元の形態に復帰する。こうして係合爪部１０２ａが吊金具装着部１６の内部周溝に嵌合することによって、当該ストラップ取付用吊金具１００は吊金具装着部１６に対して抜去しない状態で装着される。なお、装着状態のストラップ取付用吊金具１００を吊金具装着部１６から抜去するには、例えばストラップ取付用吊金具１００の吊金具本体１０２の頭部１０２ｂを本体部１０側に押圧若しくは引っ張る操作を行なうことで、係合爪部１０２ａを付勢力に抗して縮長させることができる。したがって、これにより係合爪部１０２ａと吊金具装着部１６の内部周溝との嵌合状態が解除されるので、ストラップ取付用吊金具１００を引き抜くことができる。なお、ストラップ取付用吊金具１００の構成は、従来一般に普及している電子機器において適用されているものと略同様のものが採用されているものとして、これ以上の詳細説明は省略する。
【００３４】
さらに、本体部１０の背面（符号［２Ｆ］参照）には、当該撮像素子付中間筒１と後述する本実施形態のアクセサリ機器取付装置２とを接続固定を確保するためのジョイント部が形成されている。具体的には、本体部１０の背面側は、後述する本実施形態のアクセサリ機器取付装置２のジョイントリング部２１ｃに係合し得る形態に、つまり断面が略テーパ状に突出する突形状に形成されている。このジョイント部の外面上には、当該撮像素子付中間筒１を後述する本実施形態のアクセサリ機器取付装置２に対して着脱自在とするための着脱機構の一部を構成する一対のバヨネット爪１９が形成されている。この一対のバヨネット爪１９は、後述する本実施形態のアクセサリ機器取付装置２のジョイントリング部２１ｃ内に形成されるバヨネット嵌合部に対してバヨネット結合する部位である。
【００３５】
このように構成された撮像素子付中間筒１は、前面に交換レンズ鏡筒を装着すれば、それ自体で撮像装置（カメラ）として機能し得るものである。つまり、本実施形態の説明においては、当該撮像素子付中間筒１についてのこれ以上の詳細な図示及び説明は省略するが、上述した構成以外の内部構成としては、例えば電源バッテリ等を含む電源関連の構成ユニットや、記憶媒体等を含むデータ記憶ユニット、若しくは電源状態等の当該機器状態を表し得る簡易的な表示ユニット等を有して構成されている。
【００３６】
また、上記撮像素子付中間筒１は、レンズ鏡筒を着脱自在としているため、レンズ鏡筒を取り外した状態では、撮像素子の受光面が外部に対して露呈した状態になる。そこで、図示はしていないが、当該撮像素子付中間筒１からレンズ鏡筒を取り外した時や、当該撮像素子付中間筒１を単体で持ち運んだり保管したりする時のために、開口１０ａを覆い内部を保護するための保護キャップが用意されている。
【００３７】
さらに、上記撮像素子付中間筒１においては、撮像素子１１の受光面側に付着した塵埃等を払い落とすことで受光面上から除去するための塵埃除去装置（防塵機構）を有している。この塵埃除去装置としては、例えば撮像素子１１の前面側の空間に透明薄板状の防塵部材を設けることによって（若しくは撮像素子１１の受光面上に元から具備されるフィルタ部材、例えば赤外線カットフィルタやローパスフィルタ等を利用してもよい）、上記撮像素子１１の前面側の所定空間を密封状態とした上で、上記板状部材を圧電素子等の加振部材を用いて振動させて、上記防塵部材に付着した塵埃等を除去するといった構成のものがある。この種の塵埃除去装置は、従来の撮像装置（カメラ）等において一般に普及しているものである。
【００３８】
次に、本発明の第１の実施形態のアクセサリ機器取付装置の構成を、図４〜図６を用いて以下に説明する。
【００３９】
図４は、本発明の第１の実施形態のアクセサリ機器取付装置を示す外観斜視図である。図５は、図４のアクセサリ機器取付装置の六面図である。このうち符号［５Ａ］は正面図、符号［５Ｂ］は上側面図、符号［５Ｃ］は下側面図、符号［５Ｄ］は左側面図、符号［５Ｅ］は右側面図、符号［５Ｆ］は背面図、をそれぞれ示している。図６は、図４の［６］−［６］線に沿う断面を示す要部拡大断面図である。
【００４０】
本実施形態のアクセサリ機器取付装置２は、図４等に示すように、全体として扁平な立方体形状の筐体からなる。このアクセサリ機器取付装置２を形成する筐体の一面は、開口しており、この開口から筐体内部空間へ携帯型電子機器３（図７参照）を収納配置することができるように形成されている。なお、ここで、本実施形態のアクセサリ機器取付装置２が対応する電子機器として、例えば片手のひらで取り扱い得る程度のサイズを有し、例えば４インチ型程度の表示用パネルを備えた小型の電子機器であって、具体的にはいわゆるスマートフォン等と呼ばれる高機能型携帯電話機等を想定した携帯型電子機器３を例示している。
【００４１】
つまり、アクセサリ機器取付装置２は、これに装着されるべき携帯型電子機器３（図７参照）の一面、即ち当該携帯型電子機器３の表示用パネルの表示面以外の面を覆い保護するように形成されたケース部材としても機能する。そのために、上記アクセサリ機器取付装置２の形状は、これに装着されるべき携帯型電子機器３（図７参照）の形状に合わせて形成されている。ここで、図７は、本実施形態のアクセサリ機器取付装置（図４参照）が装着される携帯型電子機器の一例を示す外観斜視図である。
【００４２】
本実施形態のアクセサリ機器取付装置２は、上述したように、一面に開口を有し、全体として扁平な立方体形状の筐体からなる。その筐体形状は、当該アクセサリ機器取付装置２に装着されるべき携帯型電子機器３の形状に合わせて形成される。例えば、アクセサリ機器取付装置２（図４）の外観形状は、携帯型電子機器３（図７）の外観を覆い保護し得るように、略同形状に形成されている。この場合において、携帯型電子機器３をアクセサリ機器取付装置２に装着した時、少なくとも携帯型電子機器３の表示用パネル３１の表示面を露呈し得るように、アクセサリ機器取付装置２には開口２ａが形成されている。図７に示す携帯型電子機器３においては、上記表示用パネル３１と同一面に押しボタン式のメイン操作部材３４や、スピーカマイク部３５，前面カメラ部３６等が設けられている。これに応じて、本実施形態におけるアクセサリ機器取付装置２においては、これらの構造物を露呈させるように開口２ａを形成している。
【００４３】
また、上記携帯型電子機器３の周囲側面には、主電源用操作部材３２や音量調節用操作部材３３等が設けられている（図７参照）。図７には図示されていないが、上記携帯型電子機器３の周囲側面には、さらに、スピーカ用開口や外部機器との接続を確保する接続コネクタ部（外部インタフェース接続部），ヘッドホン端子部，マナーモード切換操作部材等が設けられている。また、これも図示していないが、上記携帯型電子機器３の背面側には、カメラ部，照明部，マイク部等が所定の位置に配設されている。
【００４４】
本実施形態のアクセサリ機器取付装置２には、上記携帯型電子機器３側の外面上に設けられるこれらの各種操作部材や構成ユニット等の各機能部位を外部に露呈させるために、例えば筐体の一部を切り欠いた切欠部若しくは貫通した穴部からなる複数の開口部が形成されている。
【００４５】
この複数の開口部としては、具体的には、図５に示すように、例えばアクセサリ機器取付装置２の筐体の正面側に穿設された略長孔形状の開口部２２（［５Ａ］参照）は、携帯型電子機器３の背面側のカメラ部，照明部，マイク部等を露呈させる部位である。また、上側面側に形成された切欠部２３（［５Ｂ］参照）は、携帯型電子機器３の周囲側面の音量調節用操作部材３３，マナーモード切換操作部材等を露呈させる部位である。左側面側に形成された切欠部２４（［５Ｄ］参照）は、携帯型電子機器３の周囲側面の主電源用操作部材３２等を露呈させる部位である。右側面側に形成された切欠部２５（［５Ｅ］参照）は、携帯型電子機器３の周囲側面のスピーカ用開口，接続コネクタ部，ヘッドホン端子部等を露呈させる部位である。
【００４６】
なお、携帯型電子機器の外面上に設けられる各種操作部材や構成ユニット等は、機種によってその配置が異なる。また、携帯型電子機器自体のサイズも機種によって多様なものがある。したがって、本実施形態のアクセサリ機器取付装置２の形状やサイズ及び開口形態等は、様々な形態の携帯型電子機器にそれぞれ対応させたものを用意するのが望ましい。
【００４７】
本実施形態のアクセサリ機器取付装置２においては、さらに、上記開口２ａに対向する反対側の面の外面側、即ち当該アクセサリ機器取付装置２の正面側の所定部位に、各種アクセサリ機器を着脱自在とするための結合部であるアクセサリ機器取付部２１が形成されている（［５Ａ］参照）。このアクセサリ機器取付部２１は、ストッパ凹部２１ａと、バヨネット嵌合部（後述する爪状突起部２１ｂ（爪部），凹状孔部２１ｄ（凹部））と、ジョイントリング部２１ｃとによって形成されている。
【００４８】
上記ジョイントリング部２１ｃは、当該アクセサリ機器取付装置２のアクセサリ機器取付部２１に取り付けられるアクセサリ機器を安定的に保持する部位である。ジョイントリング部２１ｃは、アクセサリ機器取付装置２の正面側の平面から外方に向けて突設された略円環形状に形成されている。そして、ジョイントリング部２１ｃの円環形状の直径は、これに装着されるアクセサリ機器の外径形状と略一致するように設定されている。換言すれば、本実施形態のアクセサリ機器取付装置２に装着されるアクセサリ機器のサイズは、アクセサリ機器取付部２１の上記ジョイントリング部２１ｃの外径形状と略一致する統一形状となるように形成されている。
【００４９】
ストッパ凹部２１ａは、上記ジョイントリング部２１ｃに取り付けられた状態のアクセサリ機器の回転規制をする部位である。ストッパ凹部２１ａは、ジョイントリング部２１ｃの内周縁部の一部位に形成されており、当該ジョイントリング部２１ｃの径方向外方に向けて凹状に形成されている。これに対応させて、当該アクセサリ機器取付部２１に装着されるアクセサリ機器側には、その筐体外周面上に突没自在にストッパ嵌合凸部（図１〜図３で示す撮像素子付中間筒１においては符号１８ａ参照）が形成されている。そして、当該アクセサリ機器をアクセサリ機器取付部２１に装着したとき、ストッパ嵌合凸部１８ａが上記ストッパ凹部２１ａに嵌合することによって、装着されたアクセサリ機器の回転を規制している。
【００５０】
バヨネット嵌合部（後述する２１ｂ，２１ｄ）は、当該アクセサリ機器取付部２１のジョイントリング部２１ｃにアクセサリ機器を着脱自在とするための着脱機構を構成する部位である。バヨネット嵌合部は、当該ジョイントリング部２１ｃの内周縁部において、周方向に略等間隔に複数設けられる。本実施形態においては、ジョイントリング部２１ｃの内周縁部において、対向するように一対のバヨネット嵌合部が形成されている。各バヨネット嵌合部は、ジョイントリング部２１ｃの径方向内方に向けて突設される爪状突起部２１ｂと、この爪状突起部２１ｂに対応する部位であって当該アクセサリ機器取付装置２の正面側平面上に穿設される貫通孔からなる凹状孔部２１ｄとによって構成される。当該アクセサリ機器取付装置２に装着されるアクセサリ機器側には、このバヨネット嵌合部に対応する形状からなり、両者（アクセサリ機器取付装置２にアクセサリ機器）をバヨネット結合により着脱し得るようにするためのバヨネット爪（図１〜図３で示す撮像素子付中間筒１においては符号１９参照）が形成されている。
【００５１】
次に、本発明の第１の実施形態のアクセサリ機器取付装置に取り付けられる支持台ユニットの構成を、図８〜図１９を用いて以下に説明する。
【００５２】
図８は、本実施形態のアクセサリ機器取付装置に着脱可能なアクセサリ機器である支持台ユニットを折り畳んだ状態を示す五面図である。このうち符号［８Ａ］は平面図、符号［８Ｂ］は下側面図、符号［８Ｃ］は左側面図、符号［８Ｄ］は右側面図、符号［８Ｅ］は裏面側の平面図、をそれぞれ示している。図９は、図８の符号［８Ａ］の［９］−［９］線に沿う縦断面図である。図１０は、図８の符号［８Ａ］の［１０］−［１０］線に沿う縦断面図である。
【００５３】
図１１は、本実施形態の支持台ユニットにおいて、連結板を展開した状態の三面図である。このうち符号［１１Ａ］は平面図、符号［１１Ｂ］は下側面図、符号［１１Ｃ］は裏面側の平面図、をそれぞれ示している。図１２は、本実施形態の支持台ユニットにおいて、連結板及び支持板を展開した状態の四面図である。このうち符号［１２Ａ］は平面図、符号［１２Ｂ］は下側面図、符号［１２Ｃ］は左側面図、符号［１２Ｄ］は右側面図、をそれぞれ示している。図１３は、図１２の符号［１２Ａ］の［１３］−［１３］線に沿う縦断面図である。図１４は、図１２の符号［１２Ａ］の［１４］−［１４］線に沿う縦断面図である。図１５は、図１２の符号［１２Ａ］の［１５］−［１５］線に沿う縦断面図である。図１６は、図１２の符号［１２Ａ］の［１６］−［１６］線に沿う縦断面図である。図１７は、図１２の符号［１２Ｂ］の［１７］−［１７］線に沿う横断面図である。
【００５４】
図１８は、本実施形態の支持台ユニットを支持台として使用する際の使用形態に展開した状態を示す四面図である。このうち符号［１８Ａ］は平面図、符号［１８Ｂ］は上面図、符号［１８Ｃ］は左側面図、符号［１８Ｄ］は右側面図、をそれぞれ示している。図１９は、図１８の符号［１８Ｂ］の［１９］−［１９］線に沿う縦断面図である。図２０は、図１９の符号［２０］で示す部位の要部拡大断面図である。
【００５５】
本実施形態のアクセサリ機器取付装置２に取り付けられるアクセサリ機器としての支持台ユニット４は、他のアクセサリ機器（上記撮像素子付中間筒１等）と上記アクセサリ機器取付装置２との間に介在し、上記他のアクセサリ機器の使用形態の自由度を拡大すると共に、当該支持台ユニット４を装着する上記アクセサリ機器取付装置２及びこれに取り付けられる携帯型電子機器を、例えば所定の形態で支持する支持台として機能するアクセサリ機器である。
【００５６】
上記支持台ユニット４は、図示するように、三つの平板状部材（４１，４２，４３）を連結して形成されている。即ち、支持台ユニット４は、支持板４１と、機器取付用板４２と、接続板４３とが順に連結した形態で構成されている。
【００５７】
接続板４３は、当該支持台ユニット４と上記アクセサリ機器取付装置２との接続固定状態を確保するためのジョイント部４３ａを有して形成される板状部と、この板状部の外周縁部の一部を囲うように形成される外周壁部とを有して形成される筐体状部材である。
【００５８】
即ち、上記接続板４３の板状部の一方の平面上に形成されるジョイント部４３ａは、上記アクセサリ機器としての撮像素子付中間筒１における本体部１０の背面（符号［２Ｆ］参照）に設けられる着脱機構と全く同形態に形成されている。
【００５９】
具体的には、ジョイント部４３ａは、上記アクセサリ機器取付装置２のジョイントリング部２１ｃに係合し得る形態に、つまり断面が略テーパ状に突出する突形状に形成されている。ジョイント部４３ａの外面上には、上記撮像素子付中間筒１における一対のバヨネット爪１９と同形態の一対のバヨネット爪４３ｂが形成されている。この一対のバヨネット爪４３ｂは、上記アクセサリ機器取付装置２のジョイントリング部２１ｃ内のバヨネット嵌合部（２１ｂ，２１ｄ）に対してバヨネット結合する部位である。上記ジョイント部４３ａは、当該支持台ユニット４が折り畳まれた収納状態とされた時に、外側に露呈する面において、その外方に突出するように形成されている（図８の符号［８Ｅ］，図１１の符号［１１Ｃ］参照）。
【００６０】
一方、上記ジョイント部４３ａが形成される板状部の外周縁部の一部は、上述したように外周壁部によって囲われている。この場合において、上記外周壁部は、上記ジョイント部４３ａの突出方向とは反対側の方向に向けて延設されている。上記外周壁部は、上記板状部の外周面の四面の内の三面を囲うように形成されている。そして、上記外周壁部によって囲われない上記板状部の外周面の一辺には、後述する機器取付用板４２との連結を確保するためのヒンジ部４３ｈが形成されている。
【００６１】
このように構成される上記接続板４３は、上記外周壁部によって内部空間４３ｓが形成されている。この内部空間４３ｓ内には、当該接続板４３に連結された機器取付用板４２が折り畳み状態で収納されるようになっている。
【００６２】
機器取付用板４２は、当該支持台ユニット４と他のアクセサリ機器（例えば上記撮像素子付中間筒１等）との接続固定状態を確保するためのアクセサリ機器取付部４２ｘを有して形成される板状部と、この板状部の外周縁部の一部を囲うように形成される外周壁部とを有して形成される筐体状部材である。
【００６３】
即ち、上記機器取付用板４２の板状部の一方の平面上に形成されるアクセサリ機器取付部４２ｘは、上記アクセサリ機器取付装置２におけるアクセサリ機器取付部２１（図４等参照）と全く同様に形成されている。
【００６４】
具体的には、アクセサリ機器取付部４２ｘは、ストッパ凹部４２ａと、バヨネット嵌合部（突起４２ｂ，孔４２ｄ）と、ジョイントリング部４２ｃとによって形成されている。ここで、アクセサリ機器取付部４２ｘの各構成（ストッパ凹部４２ａ，バヨネット嵌合部（突起４２ｂ，孔４２ｄ），ジョイントリング部４２ｃ）は、上述のアクセサリ機器取付部２１における各構成（ストッパ凹部２１ａ，バヨネット嵌合部（爪状突起部２１ｂ，凹状孔部２１ｄ），ジョイントリング部２１ｃ）と同様に構成されている。したがって、その説明は省略する。
【００６５】
上記アクセサリ機器取付部４２ｘは、当該支持台ユニット４が折り畳まれた収納状態とされた時に、外側に露呈する面において、その外方に突出するように形成されている（図８の符号［８Ａ］，図１１の符号［１１Ｃ］参照）。
【００６６】
一方、上記アクセサリ機器取付部４２ｘが形成される板状部の外周縁部の一部は、上述したように外周壁部によって囲われている。この場合において、上記外周壁部は、上記アクセサリ機器取付部４２ｘの突出方向とは反対側の方向に向けて延設されている。上記外周壁部は、上記板状部の外周面の四面の内の二面を囲うように形成されている。そして、上記外周壁部によって囲われない上記板状部の外周面の一辺には、上記接続板４３のヒンジ部４３ｈに係合する第１ヒンジ部４２ｈが形成されている。そして、上記ヒンジ部４３ｈに第１ヒンジ部４２ｈが係合した状態で、両ヒンジ部４３ｈ，４２ｈを回動軸４４が挿通している。これにより、接続板４３の一端と機器取付用板４２の一端とが互いに回動自在に連結されている。また、上記板状部の外周面の一辺に対向する他辺には、後述する支持板４１との連結を確保するための第２ヒンジ部４２ｈ２が形成されている。
【００６７】
このように構成される上記機器取付用板４２は、上記外周壁部と両ヒンジ部４２ｈ，４２ｈ２とによって内部空間４２ｓが形成されている。この内部空間４２ｓ内には、当該機器取付用板４２に連結された支持板４１が折り畳み状態で収納されるようになっている。
【００６８】
支持板４１は、当該支持台ユニット４を支持台として使用する際の一使用形態を保持するための板状部材である。ここで、当該支持台ユニット４の使用形態の一例として、例えば図１８に示すような形態がある。図１８に示す一例においては、支持板４１は、接続板４３に対して機器取付用板４２を所定の角度を保った状態で支持している。そして、当該支持台ユニット４は、全体として例えば多角形状の立体形態を維持している。
【００６９】
支持台ユニット４を、図１８に示す使用形態とするには、まず、図８に示すように順に連結され折り畳まれた状態の支持板４１，機器取付用板４２，接続板４３を、図１１に示す状態を経て図１２に示す展開状態とした後、支持板４１の一端と接続板４３の一端とを接続保持することによって、この使用形態を実現し得るようになっている。
【００７０】
まず、支持板４１の外周縁部の一端には、上記機器取付用板４２との連結を確保するためのヒンジ部４１ｈが形成されている。このヒンジ部４１ｈが上記機器取付用板４２の上記第２ヒンジ部４２ｈ２に係合した状態で、両ヒンジ部４１ｈ，４２ｈ２には回動軸４５が挿通している。この構成により、機器取付用板４２の一端と支持板４１の一端とが互いに回動自在に連結されている。
【００７１】
一方、上記支持板４１の上記ヒンジ部４１ｈに対向する他端、及び、接続板４３の上記ヒンジ部４３ｈに対向する一端のそれぞれには、当該支持台ユニット４を支持台として使用する際の一使用形態（図１８参照）を保持するための保持機構（ロック機構）の各一部が形成されている。ここで、上記使用形態保持機構について詳述する。
【００７２】
当該支持台ユニット４における使用形態保持機構は、図２０等に示すように、支持板４１側においては、当該支持板４１の他端から外方に延出する凸状部４１ａと、この凸状部４１ａの内面に穿設されたＶ溝４１ｖとによって形成されている。これに対応させて、接続板４３側においては、上記支持板４１側の凸状部４１ａが係合する係合孔を有する係合凸部４３ｄと、この係合凸部４３ｄに上記凸状部４１ａが係合した状態となった時に上記Ｖ溝４１ｖに嵌合する嵌合角部４７ａを有するロック板４７とによって上記使用形態保持機構の他の一部が形成されている。なお、上記ロック板４７は、上記接続板４３の内部空間４３ｓ内において、上記係合凸部４３ｄの近傍に配設されている。この場合において、ロック板４７は、上記嵌合角部４７ａが形成されている側を自由端として上記接続板４３に対して片持ち梁状に固定されている。したがって、ロック板４７は、上記嵌合角部４７ａが形成されている側の一辺が、自身の弾性力に基づいて揺動自在となっている。そのために、ロック板４７自体は、例えば弾性を有する樹脂製部材等によって形成されている。また、ロック板４７の嵌合角部４７ａは、上記係合凸部４３ｄの係合孔の開口部位に若干干渉するように配置されている。
【００７３】
このように構成された支持台ユニット４の使用形態保持機構は、次のように作用する。まず、ロック機構を機能させて、支持台ユニット４を支持台として使用する形態を保持する状態とするには、まず、支持台ユニット４の３つの板状部材（４１，４２，４３）を展開状態とする。その後、支持板４１の一端部の凸状部４１ａを、接続板４３の一端部の係合凸部４３ｄの係合孔に嵌合させる。このとき、支持板４１の凸状部４１ａは、ロック板４７の嵌合角部４７ａを押しながら進むことになる。このときロック板４７は、自身の弾性力によって若干撓むことによって、凸状部４１ａの係合凸部４３ｄの係合孔への嵌合を許容している。そして、ロック板４７の嵌合角部４７ａが凸状部４１ａのＶ溝４１ｖに嵌合する。これにより、当該支持台ユニット４の使用形態におけるロック状態が固定される。
【００７４】
このロック状態を解除するには、ロック板４７の嵌合角部４７ａの形成されている側を押圧すればよい。ロック板４７の嵌合角部４７ａの形成されている側を押圧すると、ロック板４７は自身の弾性力によって若干撓む。これにより、嵌合角部４７ａとＶ溝４１ｖとの嵌合状態が解除される。これにより、凸状部４１ａは係合凸部４３ｄの係合孔からの抜去が可能な状態となる。したがって、使用者（ユーザ）は、ロック板４７を押圧して、凸状部４１ａを引き抜けばよい。これにより、支持台ユニット４を展開状態とすることができ、折り畳み状態に戻すことができる。
【００７５】
このように構成された本実施形態のアクセサリ機器取付装置２と、このアクセサリ機器取付装置２に取り付けられるアクセサリ機器である支持台ユニット４の使用形態の例を、図２１，図２２の外観斜視図によって示す。
【００７６】
図２１に示す使用形態例は、本発明の第１の実施形態のアクセサリ機器取付装置２（図４）を携帯型電子機器３（図７）に装着し、同アクセサリ機器取付装置２に対して折り畳んだ状態の支持台ユニット４（図８）を取り付けて、さらにこの支持台ユニット４に撮像素子付中間筒１（図１）を装着した状態を示している。なお、図示を省略しているが、この使用形態においては、さらに上記撮像素子付中間筒１の前面側に交換レンズ鏡筒が取り付けられる。また、前面側に交換レンズ鏡筒を装着した撮像素子付中間筒１に代えて撮像素子付交換レンズユニット（不図示）を利用してもよい。この形態とした場合においては、撮像素子付中間筒１と携帯型電子機器３とは、例えば無線通信等を介して相互通信が行なわれるように構成される。携帯型電子機器３には、上記撮像素子付中間筒１を制御するためのアプリケーションソフトウェアを予めインストールしておく。そうすると、携帯型電子機器３は、撮像素子付中間筒１を制御して、当該撮像素子付中間筒１の撮像素子や、これに装着される交換レンズ鏡筒（不図示）の駆動を行なうことができる。また、撮像素子付中間筒１の撮像素子によって取得された画像データは、当該撮像素子付中間筒１の記憶部に記録される。これと共に、携帯型電子機器３は、撮像素子付中間筒１とデータ通信を行なうことによって取得画像データを取り込むこともできる。したがって、携帯型電子機器３の表示用パネル（不図示）は、撮像素子付中間筒１の撮像素子が取得した画像を順次ファインダ画像として表示することができるようにもなっている。つまり、このような形態とした時、上記撮像素子付中間筒１，アクセサリ機器取付装置２，携帯型電子機器３，支持台ユニット４及び交換レンズ鏡筒（不図示）によって構成されるシステムユニットは、通常一般的な形態のデジタルカメラ等と略同様の形態となり、また略同様の機能を備えた機器として使用できる。
【００７７】
なお、図２１に示す使用形態では、支持台ユニット４を介して撮像素子付中間筒１とアクセサリ機器取付装置２とを接続するようにしているが、支持台ユニット４を用いずとも、撮像素子付中間筒１（若しくは撮像素子付交換レンズユニット）とアクセサリ機器取付装置２とを直接接続する構成とすることもできる。
【００７８】
一方、上記図２１の使用形態にあるときに、支持台ユニット４を展開した後、同支持台ユニット４を所定の形態に変位させることによって、別の使用形態に変化させることができる。この別の使用形態を図２２によって示す。
【００７９】
図２２は、支持台ユニット４を上記図１８等において図示し説明した一使用形態に変位させた状態を示している。この使用形態とした場合には、支持板４１が接続板４３に対して機器取付用板４２を所定の角度を保持する状態で支持している。したがって、この使用形態においては、当該システムユニットを、テーブル等の平面を有する台上に対し、安定した状態で載置することができる。また、この使用形態のシステムユニットを使用者（ユーザ）が手に持って使用するような場合には、例えば携帯型電子機器３の表示用パネルの表示を見ながら撮影を行なう際に、撮像素子付中間筒１の前面に装着した交換レンズ鏡筒（不図示）の光軸と表示用パネルの表示面とが所定の角度を有しているので、通常のカメラを通常の状態で構える場合とは異なるアングルで撮像動作を実行することが容易にできるようになっている。
【００８０】
以上説明したように上記第１の実施形態によれば、例えば小型の携帯型電子機器３に対応して形成したアクセサリ機器取付装置２において、装着しようとする携帯型電子機器３のサイズ，外形形状，各種操作部材等の配置等を考慮して、アクセサリ機器取付装置２側の形状を形成するようにしたので、携帯型電子機器３に対して外周を覆うように設けられる形態であっても、携帯型電子機器３の本来の操作性を損なうことはない。
【００８１】
また、当該アクセサリ機器取付装置２に取り付けるアクセサリ機器、具体的には交換レンズ鏡筒（不図示）を前面に装着した状態の撮像素子付中間筒１を違和感なく、かつ確実に取り付けることができる。
【００８２】
これらと同時に、本実施形態のアクセサリ機器取付装置２に撮像素子付中間筒１を取り付けた使用形態は、従来一般的な形態の撮像装置（カメラ等）の形態と略同様のものとなる。したがって、撮像装置（カメラ等）として、誰でもが違和感なく使用することができる。
【００８３】
一方、アクセサリ機器取付装置２と撮像素子付中間筒１との間に、本実施形態の支持台ユニット４を介して構成することによって、さらに異なる使用形態に変位させることができる。例えば、支持台ユニット４を変位させることによって、これを取り付けたアクセサリ機器取付装置２及び撮像素子付中間筒１のシステムユニットを、平面台上等に安定状態で載置することが容易にできる。
【００８４】
また、使用者（ユーザ）が当該システムユニットを手に持って撮像行為を行なう際には、アングル等に変化を持たせることができるので、取得し得る画像も変化を付けることができる。さらに、レンズ鏡筒の光軸と表示用パネルの表示面とが角度を持って配置した設定の使用形態としているので、レンズ鏡筒を所望の被写体に直接向け難い状況であっても、表示用パネルの表示面を容易に観察することができる場合がある。
【００８５】
上述の第１の実施形態においては、アクセサリ機器取付装置２が対応する電子機器として、例えば片手のひらで取り扱い得る程度のサイズを有し、例えば４インチ型程度の表示用パネルを備えた小型の電子機器であって、具体的にはいわゆるスマートフォン等と呼ばれる高機能型携帯電話機等を想定した携帯型電子機器３を例示した。しかしながら、携帯型電子機器としては、上記の例に限らず、近年においては、各種様々な形態のものが実用化され、広く普及している。
［第２の実施形態］
【００８６】
そこで、次に説明する本発明の第２の実施形態においては、アクセサリ機器取付装置５（図２４等参照）が対応する別の形態の電子機器として、例えば両手で取り扱い得る程度のサイズを有し、例えば８〜１０インチ型程度の比較的大きな表示用パネルを備えた電子機器であって、具体的にはいわゆるタブレット型等と呼ばれる携帯型の薄板形状のコンピュータ等を想定した携帯型電子機器６を例示する。なお、携帯型電子機器６自体の構成については、特に図示を省略しているが、例えば図２７，図２８において当該アクセサリ機器取付装置５に装着した状態を示している。
【００８７】
図２３は、本発明の第２の実施形態のアクセサリ機器取付装置の六面図である。このうち符号［２３Ａ］は平面図、符号［２３Ｂ］は上側面図、符号［２３Ｃ］は下側面図、符号［２３Ｄ］は左側面図、符号［２３Ｅ］は右側面図、符号［２３Ｆ］は裏面側の平面図、をそれぞれ示している。図２４は、図２３のアクセサリ機器取付装置に適用されるグリップ部を取り出して示す図である。このうち符号［２４Ａ］は平面図、符号［２４Ｂ］は側面図、を示している。図２５は、図２４の符号［２４Ａ］の［２５］−［２５］線に沿う縦断面図である。図２６は、図２４の符号［２４Ｂ］の［２６］−［２６］線に沿う横断面図である。
【００８８】
本実施形態のアクセサリ機器取付装置５は、図２３に示すように、全体として扁平な立方体形状の筐体からなる点は上述のアクセサリ機器取付装置２と同様である。また、アクセサリ機器取付装置５においても、筐体の一面に開口５０が形成されており、この開口５０から筐体内部空間へ対応する携帯型電子機器６（図２７，図２８参照）を収納配置することができるように形成されている点も上記アクセサリ機器取付装置２と同様である。
【００８９】
したがって、当該アクセサリ機器取付装置５においても、上記筐体に装着されるべき携帯型電子機器６（図２７，図２８）の表示用パネル面以外の面を覆い保護するように形成されたケース部材であって、その外形形状は、装着される携帯型電子機器６（図２７，図２８）の形状に合わせて形成されている。そして、対応する携帯型電子機器６（図２７，図２８）を当該アクセサリ機器取付装置５に装着した時、装着した携帯型電子機器６の表示用パネルの表示面は、開口５０から露呈するように形成されている。さらに、装着される携帯型電子機器６の周囲側面や背面に設けられる各種の操作部材や構成ユニット、例えば主電源用操作部材，音量調節用操作部材，スピーカ用開口，外部機器との接続を確保する接続コネクタ部（外部インタフェース接続部），ヘッドホン端子部，マナーモード切換操作部材，カメラ部，照明部，マイク部等に対応させて、本アクセサリ機器取付装置５においても各対応する部位を露呈させるための切欠部若しくは開口部が形成されている。具体的には、図２３に示すように、例えば平面部の所定の部位に穿設された開口部５４（［２３Ａ］［２３Ｆ］参照）は、携帯型電子機器６の背面側のカメラ部，照明部，マイク部等を露呈させる部位である。また、下側面側に形成された二つの穴部５３（［２３Ａ］［２３Ｃ］［２３Ｆ］参照）は、携帯型電子機器６の音量調節用操作部材，マナーモード切換操作部材等を露呈させる部位である。右側面に形成された穴部５５（［２３Ａ］［２３Ｃ］［２３Ｅ］［２３Ｆ］参照）は、携帯型電子機器６の主電源用操作部材を露呈させる部位である。左側面部に形成された複数の穴からなる穴部５６（［２３Ａ］［２３Ｆ］参照）は、携帯型電子機器６のスピーカ用開口等を露呈させる部位である。
【００９０】
さらに、当該アクセサリ機器取付装置５の裏面側平面（［２３Ｆ］参照）には、複数（本実施形態においては３個）のアクセサリ機器取付部５２が並べて設けられている。このアクセサリ機器取付部５２は、上記アクセサリ機器取付装置２における上記アクセサリ機器取付部２１や、上記支持台ユニット４における上記アクセサリ機器取付部４２ｘと全く同様に構成されている。したがって、その詳細構成の説明は省略する。
【００９１】
なお、本実施形態においては、上記アクセサリ機器取付部５２を複数並べて設けられている。この場合において、例えば本実施形態に示す例では、３個並べて配設したアクセサリ機器取付部５２のうち真ん中の１個については、これにアクセサリ機器を装着した時に、その取付角度が異なるように設定されている。つまり、３個のアクセサリ機器取付部５２のうち真ん中の１個のアクセサリ機器取付部５２のバヨネット嵌合部（５２ｂｂ）と、他の２個のバヨネット嵌合部（５２ｂａ）とは、各アクセサリ機器取付部５２内における配置を異ならせて構成している。これにより、例えば上記図２３に示す例では、真ん中の１個のアクセサリ機器取付部５２に装着されるアクセサリ機器は、他の２個のアクセサリ機器取付部５２に対して装着されるアクセサリ機器に比べて、回転角度９０度だけ回転した状態で装着されるように設定している。
【００９２】
一方、上記アクセサリ機器取付装置５においては、当該アクセサリ機器取付装置５の筐体部に対し、その長辺方向の一端側にグリップ部５１が一体に配設されている。このグリップ部５１は、アクセサリ機器取付装置５を取り付けた携帯型電子機器６の保持部として設けられる部位である。上記グリップ部５１は、グリップ軸５１ａ，グリップアーム５１ｂ，ヒンジ部５１ｃ，グリップストッパ５７等によって構成されている。
【００９３】
グリップ軸５１ａは、携帯型電子機器６を装着したアクセサリ機器取付装置５を使用者（ユーザ）が保持する際に、一方の手のひら等によって握るのに適した形状に形成されたいわゆる握り棒である。そのために、グリップ軸５１ａは、例えば中空の円筒形状からなる部材によって形成されている。
【００９４】
グリップアーム５１ｂは、上記グリップ軸５１ａの両端に設けられ、当該グリップ軸５１ａとアクセサリ機器取付装置５の筐体部との間に張架される支持腕部材である。グリップアーム５１ｂの一端５１ｅには、上記グリップ軸５１ａの一端に嵌入し固設される突状部５１ｅｅが形成されている。この突状部５１ｅｅは、当該グリップアーム５１ｂの長手方向に対して直交する方向に突出するように形成されている。そして、この突状部５１ｅｅの断面は、図２５に示すように、非円形状に形成されている。図２５に示す例では、突状部５１ｅｅの断面は、円環形状の外周面上に複数の凸部を有するように形成した例を示している。上記突状部５１ｅｅは、グリップ軸５１ａの両端に嵌入配置される。したがって、これに対応するグリップ軸５１ａの両端には、突状部５１ｅｅの断面形状に合わせた貫通孔が形成されている。突状部５１ｅｅの断面形状を非円形状に形成し、これをグリップ軸５１ａの同形状の貫通孔に挿通配置することによって、グリップ軸５１ａとグリップアーム５１ｂの突状部５１ｅｅとの相対的な回転を規制している。
【００９５】
一方、グリップアーム５１ｂの他端側にはヒンジ部５１ｃが設けられている。このヒンジ部５１ｃには、貫通孔５１ｄｄが形成されている。この貫通孔５１ｄｄには、図２６に示すように、当該グリップアーム５１ｂの支軸となる固定ネジ５８が挿通配置されている。この固定ネジ５８は、グリップアーム５１ｂをグリップストッパ５７に対して回転自在に軸支している。具体的には、固定ネジ５８は、貫通孔５１ｄｄを挿通した後、グリップストッパ５７の貫通孔５７ａを挿通している。なお、グリップアーム５１ｂのヒンジ部５１ｃとグリップストッパ５７との間には、ワッシャ５９が介在している。グリップストッパ５７の貫通孔５７ａを挿通した固定ネジ５８は、波形ワッシャ６０等を介して二個のナット６１を用いて締結されている。上述のように、本グリップ部５１においては、波形ワッシャ６０を用いて、グリップストッパ５７に対するグリップアーム５１ｂの固定を行なう構成としている。
【００９６】
このような構成により、グリップアーム５１ｂが回転してグリップ軸５１ａの位置を任意に変更することができ、かつ波形ワッシャ６０の付勢力によって、その任意の位置にて所定の力量で保持することができるようになっている。
【００９７】
グリップストッパ５７は、各グリップアーム５１ｂに対応させて、上記アクセサリ機器取付装置５の筐体部の一端側の二つの角隅部に固設される固定部である。また、グリップストッパ５７は、グリップアーム５１ｂを介して回動するグリップ軸５１ａが、上記アクセサリ機器取付装置５の筐体部の平面に直接当接しないように規制する回転規制部として機能している。
【００９８】
このような構成によれば、グリップ軸５１ａを、上記アクセサリ機器取付装置５の筐体部の平面に対して所定の角度を有する所定の位置に設定して、例えばテーブル等の平面を有する台上にグリップ軸５１ａが当接するように載置すると、当該アクセサリ機器取付装置５は縦長の状態で略直立した形態を維持するスタンド部材として利用することができる。
【００９９】
このように構成された本実施形態のアクセサリ機器取付装置５と、このアクセサリ機器取付装置５に取り付けられるアクセサリ機器である支持台ユニット４の使用形態の例を、図２７，図２８の外観斜視図によって示す。
【０１００】
図２７に示す使用形態例は、本発明の第２の実施形態のアクセサリ機器取付装置５（図２３）を携帯型電子機器６に装着し、同アクセサリ機器取付装置５に対して折り畳んだ状態の支持台ユニット４（図８）を取り付けて、さらにこの支持台ユニット４に撮像素子付中間筒１（図１）を装着した状態を示している。なお、図示を省略しているが、この使用形態においては、さらに上記撮像素子付中間筒１の前面側に交換レンズ鏡筒が取り付けられる。また、前面側に交換レンズ鏡筒を装着した撮像素子付中間筒１に代えて撮像素子付交換レンズユニット（不図示）を利用してもよい。この使用形態は、上述の第１の実施形態において説明した図２１の使用形態と略同様である。
【０１０１】
つまり、この形態とした時、撮像素子付中間筒１，アクセサリ機器取付装置５，携帯型電子機器６，支持台ユニット４及び交換レンズ鏡筒（不図示）によって構成されるシステムユニットは、通常一般的な形態のデジタルカメラ等と略同様の形態となり、また略同様の機能を備えた機器として使用できる。なお、支持台ユニット４は必ずしも必要ではなく、撮像素子付中間筒１（若しくは撮像素子付交換レンズユニット）をアクセサリ機器取付装置５のアクセサリ機器取付部５２に直接接続しても全く同様に使用することができる。
【０１０２】
さらに、本実施形態のアクセサリ機器取付装置５においては、複数のアクセサリ機器取付部５２を有して構成されている。したがって、撮像素子付中間筒１（若しくは撮像素子付交換レンズユニット）は、複数のアクセサリ機器取付部５２のうちのいずれに装着してもよい。また、複数の撮像素子付中間筒１（若しくは撮像素子付交換レンズユニット）を装着すれば、例えば３Ｄ撮影等に対応することも可能である。また、複数の撮像素子付中間筒１（若しくは撮像素子付交換レンズユニット）を装着するのに際して、支持台ユニット４の設定次第では。一つの撮像素子付中間筒１（若しくは撮像素子付交換レンズユニット）の光軸方向と、他の撮像素子付中間筒１（若しくは撮像素子付交換レンズユニット）の光軸方向とが異なる方向となるように設定することもできる。この場合には、異なる視点の撮影を同時に行なう等、さまざまな利用が可能である。
【０１０３】
一方、上記図２７の使用形態にあるときに、支持台ユニット４を展開して別の形態に変位させることもできる。このような別の使用形態を図２８に示す。この使用形態は、上述の第１の実施形態において説明した図２２の使用形態と略同様である。したがって、この使用形態においては、当該システムユニットを、テーブル等の平面を有する台上に対し、安定した状態で載置することができる。
【０１０４】
また、この使用形態のシステムユニットを使用者（ユーザ）が手に持って使用するような場合には、例えば携帯型電子機器６の表示用パネルの表示を見ながら撮影を行なう際に、撮像素子付中間筒１の前面に装着した交換レンズ鏡筒（不図示）の光軸と表示用パネルの表示面とが所定の角度を有しているので、通常のカメラを通常の状態で構える場合とは異なるアングルで撮像動作を実行することが容易にできるようになっている。
【０１０５】
さらに、本実施形態のアクセサリ機器取付装置５においては、グリップ部５１を利用して、アクセサリ機器取付装置５を縦長の状態で略直立した形態で載置することもできる。この場合には、複数のアクセサリ機器取付部５２のうちの取付角度の異なるアクセサリ機器取付部５２（本実施形態では真ん中）にアクセサリ機器（レンズ鏡筒付きの撮像素子付中間筒１若しくは撮像素子付交換レンズユニット）を装着すれば、違和感なく使用することができるようになっている。
【０１０６】
これに加えて、本実施形態のアクセサリ機器取付装置５においては、グリップ部５１を使用者（ユーザ）の設定する任意の角度に設定することにより、アクセサリ機器取付装置５の一端を片手で保持するのに容易な構成となる。したがって、比較的大型の携帯型電子機器６であっても、従来のカメラ等と同様の使用形態によって、手持ち撮影を行なうことが容易にできる。
【０１０７】
以上説明したように上記第２の実施形態によれば、上述の第１の実施形態と同様の効果を得ることができると共に、比較的大型の携帯型電子機器６であっても、違和感なく容易にかつ手軽に撮影を行なうことができる。
［第３の実施形態］
【０１０８】
次に本発明の第３の実施形態のアクセサリ機器取付装置について説明する。本実施形態は、上述の第２の実施形態のアクセサリ機器取付装置５におけるグリップ部５１についての異なる形態を示す構成例である。
【０１０９】
図２９，図３０は、本発明の第３の実施形態のアクセサリ機器取付装置を示す六面図である。このうち図２９は、本実施形態のアクセサリ機器取付装置におけるグリップ部のフラット状態を示している。図２９において符号［２９Ａ］は平面図、符号［２９Ｂ］は上側面図、符号［２９Ｃ］は下側面図、符号［２９Ｄ］は左側面図、符号［２９Ｅ］は右側面図、をそれぞれ示している。図３０は、本実施形態のアクセサリ機器取付装置におけるグリップ部を回転させて支持台とした状態を示している。図３０において符号［３０Ａ］は平面図、符号［３０Ｂ］は上側面図、符号［３０Ｃ］は下側面図、符号［３０Ｄ］は左側面図、符号［３０Ｅ］は右側面図、をそれぞれ示している。
【０１１０】
本実施形態のアクセサリ機器取付装置５Ａにおいては、上述の第２の実施形態と同様に、筐体部の一端部に回転自在に設けられたグリップ部５１Ａを有して構成されている。また、本実施形態のアクセサリ機器取付装置５Ａにおいては、上述の第１の実施形態と同様に、アクセサリ機器取付部（５２）を一つ配設した形態としている。
【０１１１】
本実施形態のアクセサリ機器取付装置５Ａにおけるグリップ部５１Ａは、その一端部に押しボタン式の操作部材６４を設けて形成している。この操作部材６４は、具体的には例えばシャッターリリースボタン等として利用することができる操作部材である。この操作部材６４を操作することによって生じる指示信号は、例えば当該アクセサリ機器取付装置５Ａに装着される携帯型電子機器６Ａ若しくは（交換レンズ鏡筒付きの）撮像素子付中間筒１又は撮像素子付交換レンズユニット等の各機器における所定の制御回路等へと伝達されて、所定の制御、具体的には、例えば当該操作部材６４をシャッターリリースボタンとして利用する場合には撮像動作制御等が実行されることになる。この場合において、上記操作部材６４と各機器との間の信号伝達手段としては、例えばグリップ部５１Ａ内部に信号伝達ケーブル線等を挿通させてもよいし、所定の無線通信手段を用いるようにしてもよい。なお、携帯型電子機器６Ａについての詳細構成は省略するが、上述の携帯型電子機器３，６等と略同様のものが適用されているものとする。その他の構成は、上述の第１の実施形態又は第２の実施形態のアクセサリ機器取付装置と略同様に構成されているものとする。
【０１１２】
このよう構成とすることにより、例えば使用者（ユーザ）が、当該アクセサリ機器取付装置５Ａを手に持って操作しようとする時、グリップ部５１Ａを握ることで装置を確実に保持しながら、操作部材６４の操作を同時に行なうことが容易となっている。
【０１１３】
また、グリップ部５１Ａを回転させて適宜位置設定をすれば、アクセサリ機器取付装置５Ａをテーブル等の平面台上において安定状態で自立載置させることもできる。
【０１１４】
以上説明したように上記第３の実施形態によれば、上述の第２の実施形態と略同様の効果を得ることができると共に、これに加えて、グリップ部５１Ａに操作部材６４を設けたことによって、さらなる操作性の向上に寄与することができる。
【０１１５】
なお、本発明は上述した実施形態に限定されるものではなく、発明の主旨を逸脱しない範囲内において種々の変形や応用を実施し得ることが可能であることは勿論である。さらに、上記実施形態には、種々の段階の発明が含まれており、開示される複数の構成要件における適宜な組み合わせによって、種々の発明が抽出され得る。例えば、上記一実施形態に示される全構成要件から幾つかの構成要件が削除されても、発明が解決しようとする課題が解決でき、発明の効果が得られる場合には、この構成要件が削除された構成が発明として抽出され得る。
【符号の説明】
【０１１６】
１……撮像素子付中間筒，
１ａ……マウント面１ａ，
２，５，５Ａ……アクセサリ機器取付装置，
２ａ……開口，
３，６，６Ａ……携帯型電子機器，
４……支持台ユニット，
１０……本体部，
１０ａ……開口，
１１……撮像素子，
１２……マウントリング，
１３……電気接点，
１４……ロック機構解除操作部材，
１４ａ……ロックピン，
１５……レリーズ操作部材，
１６……吊金具装着部，
１７……電源操作部材，
１８……回転ロック解除部材，
１８ａ……ストッパ嵌合凸部，
１９……バヨネット爪，
２０……三脚ネジ穴，
２１……アクセサリ機器取付部，
２１ａ……ストッパ凹部，
２１ｂ……爪状突起部，
２１ｃ……ジョイントリング部，
２１ｄ……凹状孔部，
２２……開口部，
２３，２４，２５……切欠部，
３１……表示用パネル，
３２……主電源用操作部材，
３３……音量調節用操作部材，
３４……メイン操作部材，
３５……スピーカマイク部，
３６……前面カメラ部，
４１……支持板，
４１ａ……凸状部，
４１ｈ，４２ｈ，４２ｈ２，４３ｈ……ヒンジ部，
４１ｖ……Ｖ溝，
４２……機器取付用板，
４２ａ……ストッパ凹部，
４２ｂ……突起，
４２ｃ……ジョイントリング部，
４２ｄ……孔，
４２ｓ，４３ｓ……内部空間，
４２ｘ……アクセサリ機器取付部，
４３……接続板，
４３ａ……ジョイント部，
４３ｂ……バヨネット爪，
４３ｄ……係合凸部，
４４，４５……回動軸，
４７……ロック板，
４７ａ……嵌合角部，
５０……開口，
５１，５１Ａ……グリップ部，
５１ａ……グリップ軸，
５１ｂ……グリップアーム，
５１ｃ……ヒンジ部，
５１ｄｄ……貫通孔，
５１ｅｅ……突状部，
５２……アクセサリ機器取付部，
５３，５５，５６……穴部，
５４……開口部，
５７……グリップストッパ，
５７ａ……貫通孔，
５８……固定ネジ，
５９……ワッシャ，
６０……波形ワッシャ，
６１……ナット，
６４……操作部材，
１００……ストラップ取付用吊金具，
１０１……ループ状金具，
１０２……吊金具本体，
１０２ａ……係合爪部，
１０２ｂ……頭部，
【図１】
2015148720.tif 000003
【図２】
2015148720.tif 000004
【図３】
2015148720.tif 000005
【図４】
2015148720.tif 000006
【図５】
2015148720.tif 000007
【図６】
2015148720.tif 000008
【図７】
2015148720.tif 000009
【図８】
2015148720.tif 000010
【図９】
2015148720.tif 000011
【図１０】
2015148720.tif 000012
【図１１】
2015148720.tif 000013
【図１２】
2015148720.tif 000014
【図１３】
2015148720.tif 000015
【図１４】
2015148720.tif 000016
【図１５】
2015148720.tif 000017
【図１６】
2015148720.tif 000018
【図１７】
2015148720.tif 000019
【図１８】
2015148720.tif 000020
【図１９】
2015148720.tif 000021
【図２０】
2015148720.tif 000022
【図２１】
2015148720.tif 000023
【図２２】
2015148720.tif 000024
【図２３】
2015148720.tif 000025
【図２４】
2015148720.tif 000026
【図２５】
2015148720.tif 000027
【図２６】
2015148720.tif 000028
【図２７】
2015148720.tif 000029
【図２８】
2015148720.tif 000030
【図２９】
2015148720.tif 000031
【図３０】
2015148720.tif 000032